(57)【要約】【課題】診断対象を容易に特定することができる医用画像表示装置を提供する提供する。【解決手段】医用画像表示装置は、基準領域３２［Ａ］及び比較領域３４［Ｓｎ］の平均ＣＴ値を算出し（ステップ２０１〜ステップ２０３）、基準領域３２［Ａ］と比較領域３４［Ｓｎ］とを比較して、平均ＣＴ値差分を算出し（ステップ２０４）、算出された平均ＣＴ値差分が設定されたＣＴ値差分範囲条件を満たすか否かを判定し（ステップ２０５）、平均ＣＴ値差分がＣＴ値差分範囲条件を満たす場合には（ステップ２０５のＹＥＳ）、基準領域３２［Ａ］と比較領域３４［Ｓｎ］との中間画素３６を強調表示する（ステップ２０６）。ＣＰＵ１０は、例えば、特定の色（例えば、赤、青）の境界線や、太線による境界線をＸ線ＣＴ画像３１に重畳して描画する。【選択図】図４
2009136479.tif 000002
【特許請求の範囲】
【請求項１】
被検体の医用画像情報を取得し、前記取得された医用画像情報を表示装置に表示する医用画像表示装置において、
前記医用画像情報の画素値に関する差分情報の上限及び下限を示す差分範囲条件を設定する差分範囲条件設定手段と、
前記医用画像情報の全範囲に対して少なくとも１画素を含む基準領域を順次設定する基準領域設定手段と、
前記設定された基準領域の周辺に少なくとも１つの比較領域を設定する比較領域設定手段と、
前記基準領域及び前記比較領域の平均画素値を比較して差分情報を算出する差分情報算出手段と、
前記算出された差分情報が前記設定された差分範囲条件を満たす場合、前記基準領域及び前記比較領域の中間位置の画素を強調表示する強調表示手段と、
を具備することを特徴とする医用画像表示装置。
【請求項２】
前記医用画像情報に含まれる診断対象の形状及び大きさを設定する診断対象設定手段と、
前記基準領域設定手段は、前記設定された診断対象の形状及び大きさで前記基準領域を設定し、
前記比較領域設定手段は、前記設定された基準領域の周囲を取り囲む１つの環状領域を前記比較領域として設定し、
前記強調表示手段は、前記算出された差分情報が前記設定された差分範囲条件を満たす場合、前記基準領域の外周画素を強調表示することを特徴とする請求項１に記載の医用画像表示装置。
【請求項３】
前記医用画像情報の一部の範囲に対して関心領域を設定する関心領域設定手段を備え、
前記基準領域設定手段は、前記設定された関心領域の範囲内において、前記基準領域を順次設定することを特徴とする請求項１または請求項２に記載の医用画像表示装置。
【発明の詳細な説明】
【技術分野】
【０００１】
本発明は、Ｘ線ＣＴ装置、ＭＲＩ装置、超音波診断装置等の医用画像撮影装置によって取得された医用画像を表示する医用画像表示装置に関する。
【背景技術】
【０００２】
一般に、医用画像表示装置は、Ｘ線ＣＴ装置、ＭＲＩ装置、超音波診断装置等の医用画像撮影装置から医用画像情報を取得し、この医用画像情報に対して画像処理を行って診断画像を表示する。
画像処理技術のひとつとして、医用画像のコントラスト情報に基づいて境界抽出処理を行う技術が開示されている（例えば、［特許文献１］及び［特許文献２］参照。）。
【特許文献１】特表平１１−５０６９５０号公報
【特許文献２】特開２００２−３６９０７９号公報
【発明の開示】
【発明が解決しようとする課題】
【０００３】
しかしながら、従来の医用画像表示装置では、境界抽出条件として閾値を用いるので、当該閾値を超える部分を全て境界として抽出するので、診断対象だけでなく診断対象以外の領域を抽出してしまい、診断対象の特定が困難になる場合があるという未解決の課題が残されている。
【０００４】
本発明は、以上の課題に鑑みてなされたものであり、診断対象を容易に特定することができる医用画像表示装置を提供することを目的とする。
【課題を解決するための手段】
【０００５】
前述した目的を達成するための本発明は、被検体の医用画像情報を取得し、前記取得された医用画像情報を表示装置に表示する医用画像表示装置において、前記医用画像情報の画素値に関する差分情報の上限及び下限を示す差分範囲条件を設定する差分範囲条件設定手段と、前記医用画像情報の全範囲に対して少なくとも１画素を含む基準領域を順次設定する基準領域設定手段と、前記設定された基準領域の周辺に少なくとも１つの比較領域を設定する比較領域設定手段と、前記基準領域及び前記比較領域の平均画素値を比較して差分情報を算出する差分情報算出手段と、前記算出された差分情報が前記設定された差分範囲条件を満たす場合、前記基準領域及び前記比較領域の中間位置の画素を強調表示する強調表示手段と、を具備することを特徴とする医用画像表示装置である。
【０００６】
本発明の医用画像表示装置は、被検体の医用画像情報を取得し、医用画像情報の画素値に関する差分情報の上限及び下限を示す差分範囲条件を設定し、医用画像情報の全範囲に対して少なくとも１画素を含む基準領域を順次設定し、設定された基準領域の周辺に少なくとも１つの比較領域を設定し、基準領域及び比較領域の平均画素値を比較して差分情報を算出し、算出された差分情報が設定された差分範囲条件を満たす場合、基準領域及び比較領域の中間位置の画素を強調表示する。
【０００７】
このように、本発明の医用画像表示装置は、境界抽出条件として閾値ではなく、医用画像情報の画素値に関する差分情報の上限及び下限を示す差分範囲条件を設定して診断対象の境界線を抽出して強調表示するので、診断対象を正確かつ容易に特定することができる。
【０００８】
また、医用画像情報に含まれる診断対象の形状及び大きさを設定し、設定された診断対象の形状及び大きさで基準領域を設定し、この基準領域の周囲を取り囲む１つの環状領域を比較領域として設定し、算出された差分情報が設定された差分範囲条件を満たす場合、基準領域の外周画素を強調表示するようにしてもよい。
このように、差分範囲条件と共に診断対象の形状及び大きさを設定して診断対象の境界線を抽出して強調表示することにより、診断対象以外の領域抽出を抑制して、診断対象の特定をより正確に行うことができる。
【０００９】
また、医用画像情報の一部の範囲に対して関心領域を設定し、この関心領域の範囲内において、基準領域を順次設定するようにしてもよい。
このように、医用画像情報に関心領域を設定してこの関心領域の範囲内で領域比較処理を行うことにより、診断対象の境界線を迅速に抽出することができる。
【発明の効果】
【００１０】
本発明によれば、診断対象を容易に特定することができる医用画像表示装置を提供することができる。
【発明を実施するための最良の形態】
【００１１】
以下添付図面を参照しながら、本発明の好適な実施形態について詳細に説明する。尚、以下の説明及び添付図面において、同一の機能構成を有する構成要素については、同一の符号を付することにより重複説明を省略することにする。
以下の実施形態では、医用画像情報としてＸ線ＣＴ画像を用いるものとして説明するがこれに限られない。医用画像情報としてＭＲＩ装置や超音波撮影装置により撮影された医用画像情報を用いてもよい。
【００１２】
最初に、図１及び図２を参照しながら、医用画像表示装置１の構成について説明する。
図１は、医用画像表示装置１のハードウェア構成図である。
医用画像表示装置１は、ＣＰＵ１０、磁気ディスク１３、主メモリ１４、コントローラ１５に接続されたマウス１６やキーボード１７、表示メモリ１８、ディスプレイ１９を備える。医用画像表示装置１は、ＬＡＮ１２を介して医用画像撮影装置１１に接続される。
【００１３】
医用画像撮影装置１１は、被検体の断層画像等の医用画像を撮影する装置である。医用画像撮影装置１１は、例えば、Ｘ線ＣＴ装置やＭＲＩ装置や超音波撮影装置である。医用画像表示装置１は、被検体の医用画像を表示する。
【００１４】
ＣＰＵ１０は、接続される各構成要素の動作を制御する装置である。ＣＰＵ１０は、磁気ディスク１３に格納されるプログラムやプログラム実行に必要なデータを主メモリ１４にロードして実行する。磁気ディスク１３は、医用画像撮影装置１１により撮影された断層画像等の医用画像をＬＡＮ１２等のネットワークを介して取得して格納する装置である。また、磁気ディスク１３には、ＣＰＵ１０が実行するプログラムやプログラム実行に必要なデータが格納される。主メモリ１４は、ＣＰＵ１０が実行するプログラムや演算処理の途中経過を記憶するものである。マウス１６やキーボード１７は、操作者が医用画像表示装置１に対して操作指示を行う操作デバイスである。表示メモリ１８は、液晶ディスプレイやＣＲＴなどのディスプレイ１９に表示するための表示データを格納するものである。コントローラ１５は、マウス１６の状態を検出して、ディスプレイ１９上のマウスポインタの位置を検出し、検出信号をＣＰＵ１０へ出力するものである。
【００１５】
図２は、ＣＰＵ１０の機能ブロック図である。
ＣＰＵ１０は、差分範囲条件設定手段２１、基準領域設定手段２２、比較領域設定手段２３、領域比較手段２４を備える。領域比較手段２４は、差分情報算出手段２５及び差分情報判定手段２６及び強調表示手段２７を有する。
【００１６】
差分範囲条件設定手段２１は、医用画像情報の画素値に関する差分範囲条件を設定するものである。差分範囲条件は、医用画像情報の画素値の差分情報の範囲（上限及び下限）を示す。尚、画素値は、ＣＴ値や輝度値に相当する。基準領域設定手段２２は、医用画像情報の全範囲に対して順次少なくとも１画素を含む基準領域を設定するものである。比較領域設定手段２３は、設定された基準領域の周辺に少なくとも１つの比較領域を設定するものである。差分情報算出手段２５は、基準領域及び比較領域の平均画素値を比較して差分情報を算出するものである。差分情報判定手段２６は、算出された差分情報が設定された差分範囲条件を満たすか否かを判定するものである。強調表示手段２７は、算出された差分情報が設定された差分範囲条件を満たすと判定された場合、基準領域及び比較領域の中間位置の画素や基準領域の外周画素を強調表示するものである。
【００１７】
＜第１実施形態＞
次に、図３〜図７を参照しながら、第１実施形態について説明する。
図３は、医用画像表示装置１の動作を示すフローチャートである。
図４は、領域比較処理（図３のステップ１０５）の詳細を示す図である。
【００１８】
操作者は、マウス１６やキーボード１７を操作し、医用画像撮影装置１１によって撮影された医用画像情報のうち、診断対象の医用画像情報としてＸ線ＣＴ画像３１を選択する。医用画像表示装置１のＣＰＵ１０は、操作者によって選択されたＸ線ＣＴ画像３１を磁気ディスク１３から読み出して主メモリ１４に保持する。
【００１９】
操作者は、マウス１６やキーボード１７を操作し、境界抽出条件としてＣＴ値差分範囲条件を設定する（ステップ１０１）。ＣＴ値差分範囲条件は、ＣＴ値の差分の上限及び下限を示す。ＣＰＵ１０は、操作者によって設定されたＣＴ値差分範囲条件を磁気ディスク１３あるいは主メモリ１４に保持する。尚、ＣＴ値差分範囲条件に関しては、操作者が任意に設定可能としてもよいし、予め医用画像表示装置１に設定済の値、例えば、臓器や腫瘍毎に設定された標準的なＣＴ値に基づいた値を用いるようにしてもよい。
【００２０】
医用画像表示装置１のＣＰＵ１０は、Ｘ線ＣＴ画像３１における位置座標（ｘ，ｙ）を初期化する。例えば、ｘ＝０及びｙ＝０（画素（０，０）は左上隅の画素を意味する）が設定される（ステップ１０２）。ＣＰＵ１０は、位置座標（ｘ，ｙ）の画素を基準画素３３とし、当該基準画素３３を中心とする基準領域３２［Ａ］を設定する（ステップ１０３）。ＣＰＵ１０は、基準領域３２［Ａ］の周辺にＮ個の比較領域３４［Ｓｎ（ｎ＝１〜Ｎ）］を設定する（ステップ１０４）。ＣＰＵ１０は、領域比較処理（ステップ１０５）に移行する。
【００２１】
ＣＰＵ１０は、基準領域３２［Ａ］の平均ＣＴ値を算出する（図４のステップ２０１）。ＣＰＵ１０は、比較領域３４［Ｓｎ（ｎ＝１〜Ｎ）］のカウンタ［ｎ］を初期化する。例えば、ｎ＝１が設定される（ステップ２０２）。ＣＰＵ１０は、比較領域３４［Ｓｎ］の平均ＣＴ値を算出する（ステップ２０３）。ＣＰＵ１０は、基準領域３２［Ａ］と比較領域３４［Ｓｎ］とを比較して、平均ＣＴ値差分を算出する（ステップ２０４）。ＣＰＵ１０は、算出された平均ＣＴ値差分がステップ１０１の処理で設定されたＣＴ値差分範囲条件を満たすか否かを判定する（ステップ２０５）。
【００２２】
平均ＣＴ値差分がＣＴ値差分範囲条件を満たす場合には（ステップ２０５のＹＥＳ）、基準領域３２［Ａ］と比較領域３４［Ｓｎ］との中間画素３６を強調表示する（ステップ２０６）。ＣＰＵ１０は、例えば、特定の色（例えば、赤、青）の境界線や、太線による境界線をＸ線ＣＴ画像３１に重畳して描画する。
平均ＣＴ値差分がＣＴ値差分範囲条件を満たさない場合には（ステップ２０５のＮＯ）、ＣＰＵ１０は、カウンタ［ｎ］を増加させて次の比較領域３４［Ｓｎ］についてステップ２０３からの処理を繰り返す（ステップ２０７のＮＯ、ステップ２０８）。
【００２３】
最後の比較領域３４［Ｓｎ］について処理を終了すると（ステップ２０７のＹＥＳ）、ＣＰＵ１０は、領域比較処理（ステップ１０５）から戻り、次の位置座標（ｘ，ｙ）についてステップ１０３からの処理を繰り返す（図３のステップ１０６〜ステップ１０９）。ＣＰＵ１０は、Ｘ線ＣＴ画像３１の全範囲の位置座標（ｘ，ｙ）について処理を終了するまでステップ１０３からの処理を繰り返す。
【００２４】
図５は、Ｘ線ＣＴ画像３１を示す図である。
図５では、医用画像表示装置１のＣＰＵ１０は、基準領域３２［Ａ］と１画素分の間隔を空けて４つの比較領域３４−１［Ｓ１］〜比較領域３４−４［Ｓ４］を設定する（図３のステップ１０４）。基準領域３２［Ａ］は複数の画素を含む領域であり、操作者側で設定してもよいし、予め、基準領域３２［Ａ］の形状及び大きさを保持するようにしてもよい。比較領域３４−１［Ｓ１］、比較領域３４−２［Ｓ２］、比較領域３４−３［Ｓ３］、比較領域３４−４［Ｓ４］は、それぞれ基準領域３２［Ａ］に対して、紙面上側、紙面左上側、紙面左側、紙面左下側に設定される。基準領域３２［Ａ］と４つの比較領域３４−１［Ｓ１］〜比較領域３４−４［Ｓ４］とは同一の形状及び大きさである。尚、図５では、十字形状で５画素である。基準領域３２［Ａ］は、基準画素３３を中心とする領域である。比較領域３４−１［Ｓ１］〜比較領域３４−４［Ｓ４］は、それぞれ、比較画素３５−１〜比較画素３５−４を中心とする領域である。
【００２５】
ＣＰＵ１０は、基準領域３２［Ａ］及び比較領域３４−１［Ｓ１］を比較して算出した平均ＣＴ値差分がＣＴ値差分範囲条件を満たす場合には、基準画素３３と比較画素３５−１との中間画素３６を強調表示する（図４のステップ２０６）。
尚、基準領域３２［Ａ］は、Ｘ線ＣＴ画像３１の全範囲において順次設定されるので、基準領域３２［Ａ］の周囲を取り囲むように比較領域３４を設定する必要はなく、例えば、基準領域３２［Ａ］に対して紙面右側に比較領域を設定しなくてもよい。
【００２６】
図６は、ディスプレイ１９における画面４１を示す図である。
操作者は、画面４１において、ＣＴ値差分範囲条件４３及び強調表示色４６を入力し、マウス１６のクリック操作によって「表示」ボタン４７を指定すると、医用画像表示装置１のＣＰＵ１０は、Ｘ線ＣＴ画像４２において診断対象の境界線を強調表示する。
【００２７】
図７は、強調表示処理の前後におけるＸ線ＣＴ画像を示す図である。
図７（ａ）のＸ線ＣＴ画像５１は、強調表示処理前のＸ線ＣＴ画像を示し、図７（ｂ）のＸ線ＣＴ画像５３は、強調表示処理後のＸ線ＣＴ画像を示す。
Ｘ線ＣＴ画像５１の診断対象５２の境界線は強調表示されず、Ｘ線ＣＴ画像５３の診断対象５４の境界線は強調表示されるので、強調表示処理前のＸ線ＣＴ画像５１と比較して強調表示処理後のＸ線ＣＴ画像５３では、診断対象領域を容易に特定することができる。
【００２８】
以上述べたように、医用画像表示装置１は、被検体の医用画像情報を取得し、医用画像情報の画素値に関する差分情報の上限及び下限を示す差分範囲条件を設定し、医用画像情報の全範囲に対して少なくとも１画素を含む基準領域を順次設定し、設定された基準領域の周辺に少なくとも１つの比較領域を設定し、基準領域及び比較領域の平均画素値を比較して差分情報を算出し、算出された差分情報が設定された差分範囲条件を満たす場合、基準領域及び比較領域の中間位置の画素を強調表示する。
【００２９】
このように、第１実施形態の医用画像表示装置１は、境界抽出条件として閾値ではなく、医用画像情報の画素値に関する差分情報の上限及び下限を示す差分範囲条件を設定して診断対象の境界線を抽出して強調表示するので、診断対象を正確かつ容易に特定することができる。
尚、１画素を基準領域及び比較領域として画素値差分を差分情報として算出してもよいが、画像ノイズの影響を避けるために、複数画素を含む基準領域及び比較領域を設定して平均画素値差分を差分情報として算出することが望ましい。
【００３０】
＜第２実施形態＞
次に、図８〜図１１を参照しながら、第２実施形態について説明する。
図８は、医用画像表示装置１の動作を示すフローチャートである。
図９は、領域比較処理（図８のステップ３０６）の詳細を示す図である。
【００３１】
操作者は、マウス１６やキーボード１７を操作し、境界抽出条件としてＣＴ値差分範囲条件を設定すると共に（ステップ３０１）、診断対象の形状及び大きさを設定する（ステップ３０２）。医用画像表示装置１のＣＰＵ１０は、Ｘ線ＣＴ画像３１における位置座標（ｘ，ｙ）を初期化する（ステップ３０３）。ＣＰＵ１０は、ステップ３０２の処理において設定された診断対象の形状及び大きさで、位置座標（ｘ，ｙ）を中心とする基準領域６２［Ａ］を設定する（ステップ３０４）。ＣＰＵ１０は、基準領域６２［Ａ］の周囲を取り囲む１つの環状領域を比較領域６４［Ｓ］として設定する（ステップ３０５）。ＣＰＵ１０は、領域比較処理（ステップ３０６）に移行する。
【００３２】
ＣＰＵ１０は、基準領域６２［Ａ］の平均ＣＴ値を算出する（図９のステップ４０１）。ＣＰＵ１０は、比較領域６４［Ｓ］の平均ＣＴ値を算出する（ステップ４０２）。ＣＰＵ１０は、基準領域６２［Ａ］と比較領域６４［Ｓ］とを比較して、平均ＣＴ値差分を算出する（ステップ４０３）。ＣＰＵ１０は、算出された平均ＣＴ値差分がステップ３０１の処理で設定されたＣＴ値差分範囲条件を満たすか否かを判定する（ステップ４０４）。
【００３３】
平均ＣＴ値差分がＣＴ値差分範囲条件を満たす場合には（ステップ４０４のＹＥＳ）、基準領域６２［Ａ］の外周画素６６を強調表示する（ステップ４０５）。ＣＰＵ１０は、例えば、特定の色（例えば、赤、青）の境界線や、太線による境界線をＸ線ＣＴ画像６１に重畳して描画する。
平均ＣＴ値差分がＣＴ値差分範囲条件を満たさない場合には（ステップ４０４のＮＯ）、ＣＰＵ１０は、領域比較処理（ステップ３０６）から戻り、次の位置座標（ｘ，ｙ）についてステップ３０４からの処理を繰り返す（図８のステップ３０７〜ステップ３１０）。ＣＰＵ１０は、Ｘ線ＣＴ画像６１の全範囲の位置座標（ｘ，ｙ）について処理を終了するまでステップ３０４からの処理を繰り返す。
【００３４】
図１０は、Ｘ線ＣＴ画像６１を示す図である。
医用画像表示装置１のＣＰＵ１０は、基準領域６２［Ａ］と１画素分の間隔を空けて基準領域６２［Ａ］の周囲を取り囲む１つの環状領域を比較領域６４［Ｓ］として設定する（図８のステップ３０５）。図１０では、基準領域６２［Ａ］は円領域であり、比較領域６４［Ｓ］は円環状領域である。
【００３５】
ＣＰＵ１０は、基準領域６２［Ａ］及び比較領域６４［Ｓ］を比較して算出した平均ＣＴ値差分がＣＴ値差分範囲条件を満たす場合には、基準領域６２［Ａ］の外周画素６６を強調表示する（図９のステップ４０５）
【００３６】
図１１は、ディスプレイ１９における画面７１を示す図である。
操作者は、画面７１において、ＣＴ値差分範囲条件７３及び強調表示色７６と共に、診断対象の形状７４及び診断対象の大きさ７５を入力し、マウス１６のクリック操作によって「表示」ボタン７７を指定すると、医用画像表示装置１のＣＰＵ１０は、Ｘ線ＣＴ画像７２において診断対象７８の境界線を強調表示する。尚、診断対象７８の境界線の形状及び大きさは、操作者が設定した診断対象の形状７４及び診断対象の大きさ７５である。
【００３７】
このように、第２実施形態の医用画像表示装置１は、第１実施形態と同様に境界抽出条件として閾値ではなく、医用画像情報の画素値に関する差分情報の上限及び下限を示す差分範囲条件を設定して診断対象の境界線を抽出して強調表示するので、診断対象を正確かつ容易に特定することができる。
また、第２実施形態では、差分範囲条件と共に診断対象の形状及び大きさを設定して診断対象の境界線を抽出して強調表示するので、診断対象以外の領域抽出を抑制して、診断対象の特定をより正確に行うことができる。
【００３８】
＜第３実施形態＞
次に、図１２を参照しながら、第３実施形態について説明する。
図１２は、ディスプレイ１９における画面８１を示す図である。
画面８１の関心領域形状選択フィールド８３において、操作者がマウス１６のクリック操作によって関心領域形状８４を選択すると、医用画像表示装置１のＣＰＵ１０は、Ｘ線ＣＴ画像８２において、選択された関心領域形状８４で関心領域枠８５を表示する。操作者は、マウス１６のドラッグ操作によって関心領域枠８５の大きさや形状を変更して関心領域を決定する。医用画像表示装置１のＣＰＵ１０は、決定された関心領域の範囲内で基準領域を順次設定しながら比較領域との平均ＣＴ値差分を比較する処理（図３のステップ１０３〜ステップ１０９や図８のステップ３０４〜ステップ３１０）の処理を行う。
【００３９】
以上説明したように、第３実施形態では、第１実施形態と同様に境界抽出条件として閾値ではなく、医用画像情報の画素値に関する差分情報の上限及び下限を示す差分範囲条件を設定して診断対象の境界線を抽出して強調表示するので、診断対象を正確かつ容易に特定することができる。
また、第３実施形態では、医用画像情報に関心領域を設定してこの関心領域の範囲内で領域比較処理を行うので、診断対象の境界線を迅速に抽出することができる。
【００４０】
＜その他＞
以上、第１実施形態〜第３実施形態について説明したが、これらを適宜組み合わせて医用画像表示装置１を構成してもよい。
【００４１】
以上、本発明に係る医用画像表示装置の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００４２】
【図１】医用画像表示装置１のハードウェア構成図
【図２】ＣＰＵ１０の機能ブロック図
【図３】医用画像表示装置１の動作を示すフローチャート（第１実施形態）
【図４】領域比較処理（図３のステップ１０５）の詳細を示す図
【図５】Ｘ線ＣＴ画像３１を示す図
【図６】ディスプレイ１９における画面４１を示す図
【図７】強調表示処理の前後におけるＸ線ＣＴ画像を示す図
【図８】医用画像表示装置１の動作を示すフローチャート（第２実施形態）
【図９】領域比較処理（図８のステップ３０６）の詳細を示す図
【図１０】Ｘ線ＣＴ画像６１を示す図
【図１１】ディスプレイ１９における画面７１を示す図
【図１２】ディスプレイ１９における画面８１を示す図
【符号の説明】
【００４３】
１………医用画像表示装置
１０………ＣＰＵ
１１………医用画像撮影装置
１２………ＬＡＮ
１３………磁気ディスク
１４………主メモリ
１５………コントローラ
１６………マウス
１７………キーボード
１８………表示メモリ
１９………ディスプレイ
２１………差分範囲条件設定手段
２２………基準領域設定手段
２３………比較領域設定手段
２４………領域比較手段
２５………差分情報算出手段
２６………差分情報判定手段
２７………強調表示手段
３１、６１………Ｘ線ＣＴ画像
３２、６２………基準領域
３４−１〜３４−Ｎ、６４………比較領域
３６………中間画素
４１、７１、８１………画面
５１………Ｘ線ＣＴ画像（強調表示処理前）
５２………診断対象（強調表示処理前）
５３………Ｘ線ＣＴ画像（強調表示処理後）
５４、７８………診断対象（強調表示処理後）
６６………外周画素
８５………関心領域枠
【図１】
2009136479.tif 000003
【図２】
2009136479.tif 000004
【図３】
2009136479.tif 000005
【図４】
2009136479.tif 000006
【図５】
2009136479.tif 000007
【図６】
2009136479.tif 000008
【図７】
2009136479.tif 000009
【図８】
2009136479.tif 000010
【図９】
2009136479.tif 000011
【図１０】
2009136479.tif 000012
【図１１】
2009136479.tif 000013
【図１２】
2009136479.tif 000014